(57)【要約】【課題】高域成分の減衰などにより鈍ってしまった映像信号の波形応答を改善する際に、階段波のように中間調が存在する信号の信号つぶれを防止するようにした波形整形装置及び波形整形方法を提供することである。【解決手段】映像信号を処理するデジタル処理システムにおける波形整形装置であって、現在のデータの前後の予め決められた範囲のデータを検出し、検出した前後のデータの平均と現在のデータとの差分を求め、その差分値を増幅して強調成分として現在のデータに加算する手段（１１〜１５）と、現在のデータの前後の予め決められた範囲内における複数のデータを検出し、現在のデータを基準に現在のデータの近くから順に傾きを検出していき、その傾きが増加する方向には強調処理を行わないように加算したデータを制限する手段（１６〜１８）と、を備えたものである。【選択図】図１
2007288535.tif 000002
【特許請求の範囲】
【請求項１】
映像信号を処理するデジタル処理システムにおける波形整形装置であって、
現在のデータの前後の予め決められた範囲のデータを検出し、検出した前後のデータの平均と現在のデータとの差分を求め、その差分値を増幅して強調成分として現在のデータに加算する手段と、
現在のデータの前後の前記予め決められた範囲内における複数のデータを抜き取り、現在のデータを基準に現在のデータの近くから順に傾きを検出する手段と、
検出したその傾きが増加する方向には強調処理を行わないように前記加算したデータを制限する手段と、
を具備したことを特徴とする波形整形装置。
【請求項２】
映像信号を処理するデジタル処理システムにおける波形整形装置であって、
現在のデータの前後の予め決められた範囲のデータを検出する、複数段の遅延部を有した遅延手段と、
この遅延手段で検出した前後のデータを加算して平均を求める手段と、
この平均値を現在のデータから減算して差分を求めこれを増幅する手段と、
この増幅した差分値を強調成分として現在のデータに加算する手段と、
前記遅延手段の各段の出力の差分の大きさの変化を現在のデータを基準に現在のデータの近くから順に検出していき、この変化が大きくなる手前のデータをリミット値として、前記加算したデータが前記リミット値と現在のデータとの間の範囲を越えないように制限する手段と、
を具備したことを特徴とする波形整形装置。
【請求項３】
映像信号を処理するデジタル処理システムにおける波形整形装置であって、
映像信号から高域成分を検出する手段と、
検出した高域成分を増幅する手段と、
増幅した高域成分を強調成分として前記映像信号に加算する手段と、
前記映像信号のスロープの傾きの変化を検出してスロープの変化が小さくなっていく方向のみに強調処理を行うように前記加算した映像信号を制限する手段と、
を具備したことを特徴とする波形整形装置。
【請求項４】
映像信号を処理するデジタル処理システムにおける波形整形方法であって、
現在のデータの前後の予め決められた範囲のデータを検出し、検出した前後のデータの平均と現在のデータとの差分を求め、その差分値を増幅して強調成分として現在のデータに加算するステップと、
現在のデータの前後の前記予め決められた範囲内における複数のデータを検出し、現在のデータを基準に現在のデータの近くから順に傾きを検出するステップと、
検出したその傾きが増加する方向には強調処理を行わないように前記加算したデータを制限するステップと、
を具備したことを特徴とする波形整形方法。
【請求項５】
映像信号を処理するデジタル処理システムにおける波形整形方法であって、
映像信号から高域成分を検出するステップと、
検出した高域成分を増幅するステップと、
増幅した高域成分を強調成分として前記映像信号に加算するステップと、
前記映像信号のスロープの傾きの変化を検出してスロープの変化が小さくなっていく方向のみに強調処理を行うように前記加算した映像信号を制限するステップと、
を具備したことを特徴とする波形整形方法。
【発明の詳細な説明】
【技術分野】
【０００１】
本発明は、映像信号を処理するデジタル処理システムにおける、強調による波形整形を行う波形整形装置及び波形整形方法に関するものである。
【背景技術】
【０００２】
映像信号を映し出すテレビやＶＴＲ，ＤＶＤ，ハードディスクレコーダなどの録画・再生機器においては、放送局から送られてくる際の伝送系や信号処理の過程で発生する信号の劣化を補う画質改善機能が搭載されている。特に、高域成分の減衰により鈍ってしまったエッジ部の傾きを立てる波形整形処理は、ぼやけた映像を明確にするための画質改善には有効な機能である。
【０００３】
ところで、従来の波形整形処理では、入力波形から抽出した高域成分を増幅して、入力波形に加算し、エッジ部を強調した後、エッジ部の前後のオーバーシュートを切り取ることによって、鈍ってしまった入力波形のエッジ部のスロープを整形して出力する。
【０００４】
このような映像信号（輝度信号）の立ち上がり（或いは立ち下がり）を改善する処理は、ＬＴＩ（輝度信号立ち上がり改善処理）と呼ばれている。ＬＴＩは、オーバーシュートの補正は付けずに波形応答だけを改善しようとするものである。
【０００５】
このＬＴＩの先行技術としては、例えば特許文献１がある。特許文献１には、ディジタルＳＤ(Standard Definition)放送４８０ｉのコンポーネント信号（ＹＣｂＣｒ）に対し、それ以外のコンポーネント信号に対する画質補正に比べ、コアリングを強くする補正、ピーキングを小さくする補正、及び信号立ち上がりを急峻にする補正（ＬＴＩ）の少なくとも一つを行ったり、補正特性を異ならせることによって、ディジタルＳＤ放送４８０ｉのディジタルノイズを低減するようにしたことが記載されている。  
しかしながら、特許文献１には、高域成分が減衰し鈍ってしまった映像信号のスロープに中間調を示す階段部分を有する場合に、このような階段部分の鈍りを改善して中間調を復元することについては述べられていない。
【特許文献１】特開２００５−６５３２６号公報
【発明の開示】
【発明が解決しようとする課題】
【０００６】
そこで、本発明は上記の問題に鑑み、高域成分の減衰などにより鈍ってしまった映像信号の波形応答を改善する際に、階段波のように中間調が存在する信号の信号つぶれを防止するようにした波形整形装置及び波形整形方法を提供することを目的とするものである。
【課題を解決するための手段】
【０００７】
本願発明の第１の態様によれば、映像信号を処理するデジタル処理システムにおける波形整形装置であって、現在のデータの前後の予め決められた範囲のデータを検出し、検出した前後のデータの平均と現在のデータとの差分を求め、その差分値を増幅して強調成分として現在のデータに加算する手段と、現在のデータの前後の前記予め決められた範囲内における複数のデータを抜き取り、現在のデータを基準に現在のデータの近くから順に傾きを検出する手段と、検出したその傾きが増加する方向には強調処理を行わないように前記加算したデータを制限する手段と、を具備したことを特徴とする波形整形装置が提供される。
【０００８】
本願発明の第２の態様によれば、映像信号を処理するデジタル処理システムにおける波形整形装置であって、現在のデータの前後の予め決められた範囲のデータを検出する、複数段の遅延部を有した遅延手段と、この遅延手段で検出した前後のデータを加算して平均を求める手段と、の平均値を現在のデータから減算して差分を求めこれを増幅する手段と、この増幅した差分値を強調成分として現在のデータに加算する手段と、前記遅延手段の各段の出力の差分の大きさの変化を現在のデータを基準に現在のデータの近くから順に検出していき、この変化が大きくなる手前のデータをリミット値として、前記加算したデータが前記リミット値と現在のデータとの間の範囲を越えないように制限する手段と、を具備したことを特徴とする波形整形装置が提供される。
【０００９】
本願発明の第３の態様によれば、映像信号を処理するデジタル処理システムにおける波形整形装置であって、映像信号から高域成分を検出する手段と、検出した高域成分を増幅する手段と、増幅した高域成分を強調成分として前記映像信号に加算する手段と、前記映像信号のスロープの傾きの変化を検出してスロープの変化が小さくなっていく方向のみに強調処理を行うように前記加算した映像信号を制限する手段と、を具備したことを特徴とする波形整形装置が提供される。
【００１０】
本願発明の第４の態様によれば、映像信号を処理するデジタル処理システムにおける波形整形方法であって、現在のデータの前後の予め決められた範囲のデータを検出し、検出した前後のデータの平均と現在のデータとの差分を求め、その差分値を増幅して強調成分として現在のデータに加算するステップと、現在のデータの前後の前記予め決められた範囲内における複数のデータを検出し、現在のデータを基準に現在のデータの近くから順に傾きを検出するステップと、検出したその傾きが増加する方向には強調処理を行わないように前記加算したデータを制限するステップと、を具備したことを特徴とする波形整形方法が提供される。
【００１１】
本願発明の第５の態様によれば、映像信号を処理するデジタル処理システムにおける波形整形方法であって、映像信号から高域成分を検出するステップと、検出した高域成分を増幅するステップと、増幅した高域成分を強調成分として前記映像信号に加算するステップと、前記映像信号のスロープの傾きの変化を検出してスロープの変化が小さくなっていく方向のみに強調処理を行うように前記加算した映像信号を制限するステップと、を具備したことを特徴とする波形整形方法が提供される。
【発明の効果】
【００１２】
本発明によれば、高域成分の減衰などにより鈍ってしまった映像信号の波形応答を改善する際に、階段波のように中間調が存在する信号の信号つぶれを防止するようにした波形整形装置を提供することができる。
【発明を実施するための最良の形態】
【００１３】
発明の実施の形態について図面を参照して説明する。  
図１〜図４を参照して本発明の実施形態を説明する前に、図５〜図７にて本発明の関連する一般的に考えられる波形整形技術及びその問題点について説明する。
【００１４】
図５は一般的な波形整形装置の構成を示した図である。  
図５において、波形整形装置５０は、処理する現在のデータより時間的に後に来るデータ（以下、後のデータ）を検出するための遅延回路５１と、この遅延回路５１に直列接続され、処理する現在のデータより時間的に前に来たデータ（以下、前のデータ）を検出するための遅延回路５２と、遅延回路５１，５２の直列回路の入出力に相当するデータ（換言すれば、現在のデータの前後の予め決められた範囲の最初及び最後のデータ）の平均を現在のデータから減算し、その差分値を出力する、微分機能を有する演算回路５３と、その差分値を増幅する増幅器５４と、増幅した信号を強調成分として現在のデータに加算する加算器５５と、遅延回路５１，５２で検出した前後のデータと現在のデータの３つのデータの最大、最小の値を出力する最大値最小値検出回路５６と、この最大、最小の値で出力を制限するリミッタ５７と、を備えている。なお、データとは、１クロックごとにラッチされるサンプリングデータ例えばドットデータに相当するものである。ドットデータは、表示装置の表示ドット数（解像度）を構成する１つ１つのデータであり、通常は所定のビット数（例えば８ビット）で構成されている。遅延回路５１，５２はそれぞれ複数段の遅延部（１つの遅延部は１クロックごとに１ドットデータずつラッチして遅延する遅延素子）で構成されている。
【００１５】
演算回路５３は、現在のデータの前後の２つのデータを加算する加算器５３１と、加算器５３１の加算出力を極性反転しかつ振幅を１／２にして出力する1/2反転回路５３２と、現在のデータに1/2反転回路５３２からの反転出力を加算する加算器５３３とを備えている。
【００１６】
図６は図５の各部の信号波形を示す図であり、鈍ったしまった映像信号波形を元の波形に近づける波形整形処理の過程を示している。  
図６において、（ａ）が元の映像信号波形、（ｂ）が伝送系や前段部の信号処理で高域成分が減衰して鈍ってしまった入力波形、（ｃ）が（ｂ）の映像信号波形から高域成分を抜き取った波形、（ｄ）が抜き取った高域成分を増幅して(ｂ)の鈍った入力信号に加算した波形、（ｅ）が強調し過ぎた箇所をリミッタ処理により抑圧した出力波形である。
【００１７】
遅延回路５１，５２の直列回路より取り出した前後のデータの平均を、処理する現在のデータから減算することにより、図６(b)のように鈍ってしまった波形から図６(c)のような高域成分を抜き取り、抜き取った高域成分を増幅器５４で増幅させて強調成分として図６(b)の現在のデータの信号に加算し、図６(d)のような強調量が大きすぎてエッジ部の前後で発生するオーバーシュートをリミッタ５７により図６(e)のように抑える処理を行う。
【００１８】
ところで、上記の技術では、リミッタ５７は前後および現在の３つのデータから検出した最大値と最小値を用いて、強調成分を加算したデータを制限（リミット）していた。このため、遅延段数が少なく現在のデータの近くの前後のデータから高い周波数を抜き取って強調する場合には問題ないが、遅延段数を増やして現在のデータから遠くの（多数ドット先の）前後のデータを用いることによって映像信号の緩やかなスロープまで強調させようとした場合には、図７（ｂ）に示すような鈍った階段波が入力すると中間調のステップが検出されず、図７（ｅ）に示すようにステップが無くなってしまう弊害が発生する。
【００１９】
図７は、図５の技術で問題となる中間調が存在する階段波が入力したときの処理を示したもので、（ａ）が元の波形、（ｂ）が伝送系や前段部の信号処理で高域成分が減衰して鈍ってしまった入力波形、（ｃ）が入力信号から減衰してしまった高域成分を抜き取った波形、（ｄ）が抜き取った高域成分を増幅させて入力信号に加算した波形、（ｅ）が強調し過ぎた箇所をリミッタ処理により抑圧した出力波形であり、中間調が上側にシフトしてつぶれてしまっていることを示している。  
このように図７（ｂ）に示したような映像信号のスロープに中間調を有する場合に、同図（ｅ）のように中間調を復元することができなかった。
【００２０】
以下に説明する本発明の実施形態は、伝送系や信号処理の過程で起こる高域成分の減衰などにより鈍ってしまった輝度信号のエッジを立てて画質の改善を行う波形整形装置において、スロープの傾斜が増加する方向への強調を抑えることにより、階段波のように中間調が存在する信号の信号つぶれを防止する。
【００２１】
［第１の実施形態］
図１は本発明の第１の実施形態の波形整形装置を示すブロック図である。  
図１に示す波形整形装置１０は、複数段の遅延部を有し、処理する現在のデータより後のデータを検出するための遅延回路１１とこの遅延回路１１に直列接続されていて、複数段の遅延部を有し、処理する前記現在のデータより前のデータを検出するための遅延回路１２とを備えた遅延手段と、遅延回路１１，１２の直列回路の入出力に相当するデータ（即ち、現在のデータの前後の予め決められた遅延段数の範囲の最初及び最後のデータ）の平均を現在のデータから減算し、その差分値を出力する微分機能を有する演算回路１３と、その差分値を増幅する増幅器１４と、増幅した信号を強調成分として現在のデータに加算する加算器１５と、遅延回路１１，１２それぞれの複数段の遅延部の各段のデータを抜き取ってデータ間の差分即ち傾きを検出し、その傾きの変化に基づいて上下限のリミット値を出力する傾き検出回路１６，１７と、このリミット値で出力を制限するリミッタ１８と、を備えている。
【００２２】
遅延回路１１，１２はそれぞれ、１段遅延回路を所定の段数だけ縦続接続して構成されている。遅延回路１１，１２における所定の段数は、現在のデータの前後に決められる検出範囲に対応している。１段遅延回路はデータラッチ回路で構成されている。遅延回路１１，１２は、それぞれ、入力されたデータを１クロックごとに所定段数に対応した所定数のデータラッチ回路に順次シフトしていくことによって、データを遅延させる。遅延回路１１，１２の接続点のデータを現在のデータとしている。
【００２３】
演算回路１３は、現在のデータの前後の２つのデータを加算する加算器１３１と、加算器１３１の加算出力を極性反転しかつ振幅を１／２にして出力する1/2反転回路１３２と、現在のデータに1/2反転回路１３２からの反転出力を加算する加算器１３３とを備え、現在のデータの前後の２つのデータの平均を求め、その平均値を現在のデータの値から差し引いて差分値を得る。
【００２４】
以上の図１の構成において、遅延回路１１，１２により現在のデータから前後に各遅延回路の段数分だけ離れたデータの平均を加算器１３１，１３２にて算出し、加算器１３３にて現在のデータから減算することにより高域成分を抜き取り、増幅器１４にて増幅してこれを強調成分として現在のデータに加算し、エッジ部を強調した波形を作成する。
【００２５】
傾き検出回路１６，１７は遅延回路１１，１２の各タップのデータを取り出し、図２に示すように現在のデータを基準に現在のデータの近くから順に前のデータ及び後のデータについて傾きを検出していき、傾きが大きくなる手前の値を上限又は下限のリミット値として決定し、その上下限リミット値をリミッタ１８に供給する。リミッタ１８では、その上下限リミット値をリミット範囲として、エッジ部を強調した加算器１５からの加算データに対してリミットをかけて出力する。
【００２６】
図２は図１の傾き検出回路の動作を説明する図である。図２おいて、横軸が時間、縦軸がデータの大きさを示している。  
破線に示すような映像信号のスロープにおいて、現在のデータより前のデータ（現在のデータを基準として図示左側の５つのデータ）について見ると、現在のデータの隣から順に４つのデータはデータ間の差分（傾き）が段々に減少していき、３つ目から４つ目のデータ間で傾きが０となり、４つ目から５つ目のデータ間で傾きが増加している。現在のデータより前のデータの傾きを検出する傾き検出回路１７は、傾きが増加する手前のデータ（４つ目のデータ）の値を上限リミット値として出力する。
【００２７】
現在のデータより後のデータ（現在のデータを基準として図示右側の複数のデータ）について見ると、現在のデータを基準として現在のデータと隣の１つ目のデータ間の差分（傾き）と１つ目と２つ目のデータ間の傾きとでは傾きが段々に増加している。現在のデータより後のデータの傾きを検出する傾き検出回路１６は、傾きが増加する手前のデータ（１つ目のデータ）の値を下限リミット値として出力する。
【００２８】
換言すれば、映像信号のスロープの傾きを立てて波形整形を行う処理において、スロープの傾きが増加する方向には強調を行わないように傾きが増加する手前のデータ値をリミット値として決定する、或いは映像信号波形のスロープの傾きの変化を検出してスロープの変化が小さくなっていく方向のみに強調を行うようにし、傾きが０がとなってから増加する際には傾きが増加する手前のデータ値をリミット値として決定する。
【００２９】
図３は図１の傾き検出回路１６の具体例を示す回路図である。傾き検出回路１７についても同様に構成できる。ここでは、遅延回路１１が複数段例えば４段の遅延部１１１〜１１４で構成されている場合に対応した回路例を示している。  
図３に示す傾き検出回路１６では、第１の遅延部１１１の入力データは反転回路３１で反転して第１の加算器３２の一方の入力端に入力し、第１の遅延部１１１の出力データは第１の加算器３２の他方の入力端に入力する一方反転回路３３で反転して第２の加算器３４の一方の入力端に入力し、第２の遅延部１１２の出力データは第２の加算器３４の他方の入力端に入力する一方反転回路３５で反転して第３の加算器３６の一方の入力端に入力し、第３の遅延部１１３の出力データは第３の加算器３６の他方の入力端に入力する一方反転回路３７で反転して第４の加算器３８の一方の入力端に入力し、第３の遅延部１１４の出力データは第４の加算器３８の他方の入力端に入力している。
【００３０】
第１〜第４の加算器３２，３４，３６，３８のそれぞれから出力される各段間の差分値（ドットデータ間の傾き、即ち信号波形のスロープの傾きに相当する）は第１〜第４の絶対値回路３９〜４２それぞれに入力されて絶対値Ａ〜Ｄとされて、第１〜第３の比較回路４３〜４５に供給される。第１の絶対値回路３９の出力Ａは第１の比較回路４３の一方の入力端に入力し、第２の絶対値回路４０の出力Ｂは第１の比較回路４３の他方の入力端に入力する一方第２の比較回路４４の一方の入力端に入力し、第３の絶対値回路４１の出力Ｃは第２の比較回路４４の他方の入力端に入力する一方第３の比較回路４５の一方の入力端に入力し、第４の絶対値回路４２の出力Ｄは第３の比較回路４５の他方の入力端に入力している。第１〜第３の比較回路４３〜４５では各段間の差分値の絶対値が隣同士比較されることによって、信号波形のスロープの傾きの変化が検出される。
【００３１】
第１〜第３の比較回路４３〜４５それぞれの出力は、選択制御信号として、後述する第１〜第３のセレクタ４６〜４８の各選択制御端に供給されている。  
さらに、第１の遅延部１１１の入力データは第１のセレクタ４６の一方の入力端に入力し、第１の遅延部１１１の出力である第２の遅延部１１２の入力データは第１のセレクタ４６の他方の入力端に入力し、第１のセレクタ４６の出力は第２のセレクタ４７の一方の入力端に入力し、第２の遅延部１１２の出力である第３の遅延部１１３の入力データは第２のセレクタ４７の他方の入力端に入力し、第２のセレクタ４７の出力は第３のセレクタ４８の一方の入力端に入力し、第３の遅延部１１３の出力である第４の遅延部１１４の入力データは第３のセレクタ４８の他方の入力端に入力している。
【００３２】
第１〜第３のセレクタ４６〜４８は、選択制御信号として、例えば‘１’が与えられると２つの入力端のうち図示下方の入力端が選択され、‘０’が与えられると２つの入力端のうち図示上方の入力端が選択される。  
第３のセレクタ４８の出力は現在のデータより後のデータの上限又は下限のリミット値として出力される。第４の遅延部１１４の出力は現在のデータとして図１に示す遅延回路１２，加算器１３３及び加算器１５に供給される。
【００３３】
次に図３における、差分値の絶対値Ａ，Ｂ，Ｃ，Ｄの隣同士の大小関係、即ち映像信号のスロープの傾きの変化の例について説明する。  
Ａ＞Ｂ，Ｂ＞Ｃ，Ｃ＞Ｄでは、第１〜第３の比較回路４３〜４５それぞれの比較結果を示す出力（選択制御信号）として全て‘１’を出力し、第３のセレクタ４８からのリミット値としては、第４の遅延部１１４の入力データ、即ち現在のデータより１つ後のデータ（現在のデータを基準として傾きの変化が増加する手前のデータ、図２の下限リミット値に相当）が出力される。
【００３４】
Ａ＜Ｂ，Ｂ＜Ｃ，Ｃ＜Ｄでは、第１〜第３の比較回路４３〜４５それぞれの比較結果を示す出力（選択制御信号）として全て‘０’を出力し、リミット値として、第１の遅延部１１１の入力データ（予め決められた範囲の端のデータ）が出力される。  
Ａ＞Ｂ，Ｂ＜Ｃ，Ｃ＜Ｄでは、第１〜第３の比較回路４３〜４５それぞれの比較結果を示す出力（選択制御信号）として、第１の比較回路４３が‘１’を出力し、第２，第３の比較回路４４，４５が共に‘０’を出力し、リミット値として、第２の遅延部１１２の入力データ（現在のデータを基準として傾きが減少した後増加する変曲点の手前のデータ）が出力される。
【００３５】
遅延回路１１の各段の１段分の差分の絶対値を取り、現在のデータから近い順番でこの値を比較していき、現在のデータから遠い方の値が大きい場合には間のデータをリミット値として出力する。つまり、図２及び図３の例では、現在のデータを基準に傾きの変化を検出していく際に、現在のデータから遠い方の傾きの値が大きい場合には、現在のデータの次のデータ（即ち、傾きが増加する手前のデータ）がリミット値の１つとして出力される。
【００３６】
なお、図２及び図３の例では、現在のデータから遠い方の傾きの値が大きい場合には、現在のデータの次のデータ（換言すれば、傾きが増加する手前のデータ）がリミット値の１つとして出力されるように構成しているが、本発明の他の実施形態としては、現在のデータから遠い方の傾きの値が大きい場合には、現在のデータをリミット値の１つとして出力されるように構成してもよい。
【００３７】
図４は図１の装置における中間調が存在する階段波が入力した時の各部の信号波形を示す図である。本発明実施形態の効果を示している。  
図４において、（ａ）〜（ｄ）までは図７と同じであり、（ｅ）が本発明を実施した場合の出力波形であって、階段波の中間調はそのまま残っていることが分かる。  
このように、本実施形態によれば、高域成分の減衰などにより鈍ってしまった映像信号の波形応答を改善する際に、映像信号スロープの変化が大きくなる方向への強調は行わないように制限をつけるために、階段波のように中間調が存在する信号の信号つぶれを防止することができる。
【図面の簡単な説明】
【００３８】
【図１】本発明の第１の実施形態の波形整形装置を示すブロック図。
【図２】図１の傾き検出回路の動作を説明する図。
【図３】図１の傾き検出回路の具体例を示す回路図。
【図４】図１の装置において中間調が存在する階段波が入力した時の各部の信号波形を示す図。
【図５】一般的な波形整形装置の構成を示した図。
【図６】図５の各部の信号波形を示す図。
【図７】図５の技術で問題となる中間調が存在する階段波が入力したときの処理を示す波形図。
【符号の説明】
【００３９】
１０…波形整形装置
１１，１２…遅延回路
１３…演算回路
１４…増幅器
１５…加算器
１６，１７…傾き検出回路
１８…リミッタ
【図１】
2007288535.tif 000003
【図２】
2007288535.tif 000004
【図３】
2007288535.tif 000005
【図４】
2007288535.tif 000006
【図５】
2007288535.tif 000007
【図６】
2007288535.tif 000008
【図７】
2007288535.tif 000009